(57)【要約】【課題】  複数のフレームの外面に、同じ付属部材を付けることが可能なシート定着装置を提供する。【解決手段】  シート定着装置１において、第１定着フレーム３の第１底部１１の外面に、第２定着フレーム５と露回収フレーム７を固定し、第２定着フレーム５と露回収フレーム７の底部側の外面の一部（高さＨの部分）を同じ形状にする。これにより、第２定着フレーム５に付けることができる付属部材を、露回収フレーム７にも付けることができる。さらに、例えば、固定点３１を第１底部１１の端とし、固定点３３を自由に選択することにより、第２定着フレーム５と露回収フレーム７の距離を調整することができる。【選択図】  図１
2017175972.tif 000002
【特許請求の範囲】
【請求項１】
第１シート及び第２シートを展張可能なシート定着装置であって、
水平な第１底部と該第１底部から起立する一対の支持片を有し、前記第１シートを定着可能な第１定着フレームと、
水平な第２底部と該第２底部から起立する固定支持片及び開放支持片とを有し、前記第２シートを定着可能な第２定着フレームと、
水平な第３底部と該第３底部から起立する固定保水片及び開放保水片を有し、前記第１シートに結露した水滴を回収する露回収フレームを備え、
前記第２定着フレームの前記固定支持片及び前記露回収フレームの前記固定保水片は、前記第１定着フレームの前記第１底部及び／又は１つの前記支持片に固定され、
前記第２定着フレームの前記開放支持片及び前記露回収フレームの前記開放保水片は、前記第１定着フレームに固定されず、外側に位置し、
前記第２定着フレームの前記第２底部及び前記露回収フレームの前記第３底部は、外面が同じ形状であり、
前記第２定着フレームの前記固定支持片及び前記開放支持片のうちの前記第２底部に近い一部と、前記露回収フレームの前記固定保水片及び前記開放保水片のうちの前記第３底部に近い一部とは、外面が同じ形状である、シート定着装置。
【請求項２】
前記露回収フレームの前記固定保水片が前記第１定着フレームに固定する位置は、前記第２定着フレームの前記固定支持片が前記第１定着フレームに固定する位置よりも、前記第１定着フレームの前記第１底部の中心に近い、請求項１記載のシート定着装置。
【請求項３】
前記露回収フレームの前記開放保水片の開放端は、前記開放保水片のうち外面が他と同じ形状の部分よりも高く、第１シートに結露する水滴が移動可能で、前記露回収フレームに付属部材を取り付け可能な位置である、請求項１又は２に記載のシート定着装置。
【請求項４】
前記第２定着フレームの前記固定支持片及び前記開放支持片は、前記第２底部から外側に起立して内側に延びるものであり、
前記露回収フレームの前記固定保水片及び前記開放保水片は、前記第３底部から外側に起立して内側に延びるものであり、
前記第２定着フレームの前記固定支持片及び前記開放支持片並びに前記露回収フレームの前記固定保水片及び前記開放保水片の外面は、外側に起立する部分は同じであり、内側に延びる部分について、外側に起立する部分に近い一部が同じであることにより、前記第２定着フレームの外面に取り付け可能な付属部品が、前記露回収フレームの外面にも取り付け可能である、請求項１から３のいずれかに記載のシート定着装置。
【発明の詳細な説明】
【技術分野】
【０００１】
本願発明は、シート定着装置に関し、特に、第１シート及び第２シートを展張可能なシート定着装置に関する。
【背景技術】
【０００２】
特許文献１には、図５（ａ）にあるように蟻溝フレーム１０１及び１０３を上段と下段に配置することが記載されている。そして、２つのシートを定着させる場合には、図５（ｂ）にあるように、上段の蟻溝フレーム１０１の水平な底部と下段の蟻溝フレーム１０３の一方のシート支持片で形成された溝１０５を樋として使用して、上段の蟻溝フレーム１０１に定着したシートに結露した水滴を排出することが記載されている。なお、特許文献１には、１つのシートを定着させる場合には、図５（ｃ）にあるように、このシートを上段の蟻溝フレーム１０１に定着させ、下段の蟻溝フレーム１０３を樋として使用して、上段の蟻溝フレーム１０１に定着したシートに結露した水滴を排出することが記載されている。
【０００３】
特許文献２には、図６にあるように、第１蟻溝フレーム１１１の斜め下方に第２蟻溝フレーム１１３を連設し、第１蟻溝フレーム１１１の底部の背面に第２蟻溝フレーム１１３とは逆方向に起立する断面Ｌ状に形成された樋フレーム１１５を設け、２つのシートを第１蟻溝フレーム１１１及び第２蟻溝フレーム１１３に定着し、樋フレーム１１５を利用して、第１蟻溝フレーム１１１に定着したシートに結露した水滴を排出することが記載されている。
【０００４】
特許文献１及び２における下段に配置される蟻溝フレーム１０３及び１１３は、シートを定着させるためのものである。下段に配置される蟻溝フレーム１０３及び１１３に係止線条を嵌合させてシートを定着させるために、下段の蟻溝フレーム１０３及び１１３の入り口のスペースを広く確保する必要がある。そのため、特許文献１及び２記載の背景技術において、下段の蟻溝フレーム１０３及び１１３は、上段の蟻溝フレーム１０１及び１１１の底部の端点付近に設ける必要がある。
【０００５】
図７は、蟻溝フレーム１２１の外面に付属部材１２３を取り付ける一例を示す。付属部材は、例えば、蟻溝フレーム１２１とパイプ１２５とを固定するためなどに用いられるものである。
【先行技術文献】
【特許文献】
【０００６】
【特許文献１】特開平８−３０８３９４号公報
【特許文献２】特開２００３−１３４９４４号公報
【発明の概要】
【発明が解決しようとする課題】
【０００７】
特許文献１及び２において、下段に配置される蟻溝フレーム１０３及び１１３は、シートを定着させるためのものである。下段の蟻溝フレーム１０３及び１１３の外面には、図７の付属部材１２３を付けることができる。しかしながら、特許文献１及び２において上段に配置される蟻溝フレーム１０１及び１１１にも特許文献２における樋フレーム１１５にも、付属部材を付けることができない。
【０００８】
よって、特許文献１及び２記載の背景技術は、下段の蟻溝フレーム１０３及び１１３という１つのフレームだけに付属部材を付け、パイプ等に固定することができるものであった。そのため、ねじれることなどが生じていた。特に、図６において、第２蟻溝フレーム１１３のみが固定され、樋フレーム１１５が固定されていないために、ねじれて、樋フレーム１１５が浮いてしまうことがあった。
【０００９】
さらに、特許文献２記載の背景技術では、樋フレーム１１５が断面Ｌ状のものであるため、貯めることのできる水の量が少ない。その結果、特に複数のパイプの位置がずれている場合などで、樋フレーム１１５から水がオーバーフローしてあふれることがあった。
【００１０】
そこで、本願発明は、複数のフレームの外面に付属部材を付けることが可能なシート定着装置を提供することを目的とする。
【課題を解決するための手段】
【００１１】
本願発明の第１の観点は、第１シート及び第２シートを展張可能なシート定着装置であって、水平な第１底部と該第１底部から起立する一対の支持片を有し、前記第１シートを定着可能な第１定着フレームと、水平な第２底部と該第２底部から起立する固定支持片及び開放支持片とを有し、前記第２シートを定着可能な第２定着フレームと、水平な第３底部と該第３底部から起立する固定保水片及び開放保水片を有し、前記第１シートに結露した水滴を回収する露回収フレームを備え、前記第２定着フレームの前記固定支持片及び前記露回収フレームの前記固定保水片は、前記第１定着フレームの前記第１底部及び／又は１つの前記支持片に固定され、前記第２定着フレームの前記開放支持片及び前記露回収フレームの前記開放保水片は、前記第１定着フレームに固定されず、外側に位置し、前記第２定着フレームの前記第２底部及び前記露回収フレームの前記第３底部は、外面が同じ形状であり、前記第２定着フレームの前記固定支持片及び前記開放支持片のうちの前記第２底部に近い一部と、前記露回収フレームの前記固定保水片及び前記開放保水片のうちの前記第３底部に近い一部とは、外面が同じ形状であるものである。
【００１２】
本願発明の第２の観点は、第１の観点のシート定着装置であって、前記露回収フレームの前記固定保水片が前記第１定着フレームに固定する位置は、前記第２定着フレームの前記固定支持片が前記第１定着フレームに固定する位置よりも、前記第１定着フレームの前記第１底部の中心に近いものである。
【００１３】
本願発明の第３の観点は、第１又は第２の観点のシート定着装置であって、前記露回収フレームの前記開放保水片の開放端は、前記開放保水片のうち外面が同じ形状の部分よりも高く、第１シートに結露する水滴が移動可能で、前記露回収フレームに付属部材を取り付け可能な位置である。
【００１４】
本願発明の第４の観点は、第１から第３のいずれかの観点のシート定着装置であって、前記第２定着フレームの前記固定支持片及び前記開放支持片は、前記第２底部から外側に起立して内側に延びるものであり、前記露回収フレームの前記固定保水片及び前記開放保水片は、前記第３底部から外側に起立して内側に延びるものであり、前記第２定着フレームの前記固定支持片及び前記開放支持片並びに前記露回収フレームの前記固定保水片及び前記開放保水片の外面は、外側に起立する部分は同じであり、内側に延びる部分について、外側に起立する部分に近い一部が同じであることにより、前記第２定着フレームの外面に取り付け可能な付属部品が、前記露回収フレームの外面にも取り付け可能である。
【００１５】
なお、本願発明において、前記露回収フレームの前記開放保水片の形状は、第２定着フレームの前記開放支持片と同じ形状でもよく、異なる形状であってもよい。
【発明の効果】
【００１６】
本願発明の各観点によれば、第１定着フレームの底部及び／又は支持片の外面に、第２定着フレーム及び露回収フレームを固定し、第２定着フレーム及び露回収フレームの底部側の外面の一部を同じ形状にすることにより、第２定着フレームに付けることができる付属部材を、露回収フレームにも付けることができるようにできる。第２定着フレーム及び露回収フレームという複数のフレームの外面に付属部材を付けてパイプなどに固定することができるため、ねじれて浮き上がることなどを防止し、強度に優れたものとして、安定させることができる。さらに、露回収フレームの開放保水片は、第３底部から起立するものであるため、特許文献２記載の断面Ｌ状の樋フレームと比較して多くの水を貯めることができる。
【００１７】
さらに、本願発明の第２の観点によれば、第２定着フレームの固定位置を第１定着フレームの底部の端付近とすることにより、係止部材を挿入してシートを定着するためのスペースを確保することができる。そして、付属部材を取り付けるための間隔を保ちつつ、露回収フレームの位置を、第１定着フレームの底部の中心に近くするなどして、第２定着フレームと露回収フレームとの距離を自由に変更することができる。
【００１８】
なお、念のため、本願発明の各観点について、特許文献１及び２記載の背景技術に対する特許性について説明する。
【００１９】
特許文献１記載の背景技術の本質的部分は、下段蟻溝フレーム１０３を、シートを固定するためにも、結露を回収するためにも、共通して利用することができることにある。ただし、２つのシートを固定する場合には、下段蟻溝フレーム１０３は、シートを定着させるためだけにしか使用できず、露を回収するためには使用できない。そのため、上段蟻溝フレーム１０１と下段蟻溝フレーム１０３の間の溝１０５を、結露を回収するために使用することとなる。
【００２０】
また、特許文献２記載の背景技術の本質的部分は、特許文献１記載の技術を前提に、２つのシートを固定する場合に、シートから溝までの経路上に樋フレーム１１５を設け、溝１０５に代えて樋フレーム１１５により水滴を回収するものである。そして、この樋フレーム１１５は、断面Ｌ状として、第１蟻溝フレーム１１１の底部から離して、水滴を回収するための開口部を確保している。
【００２１】
そのため、特許文献１記載の背景技術に特許文献２記載の背景技術を適用しても、特許文献１記載の上段蟻溝フレーム１０１と下段蟻溝フレーム１０３とは独立に、断面Ｌ状の樋フレーム１１５を付加することができるにすぎない。
【００２２】
また、特許文献２記載の背景技術に特許文献１記載の背景技術を適用しても、１つのシートを固定する場合に、第２蟻溝フレーム１１３を利用して、樋フレーム１１５を使用せずに露を回収することができることを導出できるにすぎない。
【００２３】
さらに、２枚のシートは、フレームの二方向に延びるものである。そのため、特許文献１記載の背景技術でも特許文献２記載の背景技術でも、２つのシートを張るためには２つの蟻溝フレームがあれば足り、これらとは別に、３つ目の蟻溝フレームを設けるようにすることに、動機付けは認められない。
【００２４】
よって、特許文献１及び２は、本願発明の各観点の本質、すなわち、第２定着フレーム及び露回収フレームの底部側の外面の一部を同じ形状にすることにより、第２定着フレームに付けることができる付属部材を、露回収フレームにも付けることができ、複数のフレームに付属部材を取り付けることができることを開示するものではない。
【００２５】
さらに、特許文献１及び２記載の下段の蟻溝フレーム１０３及び１１３は、共に、シートを定着するためのものであり、スペースを確保するために上段の蟻溝フレーム１０１及び１１１の底部の端部付近に固定する必要がある。そのため、特許文献１及び２には、本願発明の第２の観点にあるように、第２定着フレームと露回収フレームとの距離を調整できるようにすることは、記載も示唆もされていない。
【００２６】
さらに、特許文献１及び２記載の下段の蟻溝フレーム１０３及び１１３は、共にシートを定着するためのものであり、形状を異にする必要はない。
【図面の簡単な説明】
【００２７】
【図１】本願発明の実施の形態に係るシート定着装置の長手方向の断面図である。
【図２】図１のシート定着装置１において、第２定着フレーム５の外面の付属部材が、露回収フレーム７の外面にも付けることができることを示す図である。
【図３】図１のシート定着装置１にシートを定着させた状態を示す図である。
【図４】図１のシート定着装置１に付属部材を付けた状態の一例を示す図である。
【図５】特許文献１記載の背景技術を示す図である。
【図６】特許文献２記載の背景技術を示す図である。
【図７】蟻溝フレーム１２１の外側の付属部材１２３の一例を示す図である。
【発明を実施するための形態】
【００２８】
以下、本願発明の実施の形態について説明する。なお、本願発明は、下記の実施例に限定されるものではない。
【実施例】
【００２９】
図１は、本願発明の実施の形態に係るシート定着装置の長手方向の断面図である。図１（ａ）を参照して、シート定着装置１は、第１シートと第２シートを展張可能なものである。シート定着装置１は、第１定着フレーム３（本願発明の「第１定着フレーム」の一例）と、第２定着フレーム５（本願発明の「第２定着フレーム」の一例）と、露回収フレーム７（本願発明の「露回収フレーム」の一例）を備える。
【００３０】
第１定着フレーム３は、水平な第１底部１１と、第１底部１１の一端から起立する第１支持片１３と、第１底部１１の他端から起立する第２支持片１５を備える。図１（ｂ）にあるように、第１定着フレーム３は、係合する弾性な係止線条４３を用いて第１シート４１を定着する。第１シート４１は、図３（ａ）にあるように図１（ａ）の右側に延びる。
【００３１】
第２定着フレーム５は、水平な第２底部１７と、第２底部１７の一端から起立する開放支持片１９と、第２底部１７の他端から起立する固定支持片２１を備える。図１（ｂ）にあるように、第２定着フレーム５は、係合する弾性な係止線条４７を用いて第２シート４５を定着する。第２シート４５は、図３（ａ）にあるように図１（ａ）の左側に延びる。
【００３２】
露回収フレーム７は、水平な第３底部２３と、第３底部２３の一端から起立する固定保水片２５と、第３底部２３の他端から起立する開放支持片２７を備える。露回収フレーム７は、図１（ｂ）にあるように、第１シート４１に結露した水滴を回収する。
【００３３】
後に具体的に説明するように、第２定着フレーム５と露回収フレーム７の外面には、同じ付属部材を付けることができ、この付属部材を使ってパイプ等に固定することができる。第２定着フレーム５と露回収フレーム７との間には、付属部材を付けることができる間隔を設けている。第２定着フレーム５の第２底部１７と、露回収フレーム７の第３底部２３は、同じ平面上にある。そのため、シート定着装置１は、第２定着フレーム５及び露回収フレーム７を、これらの外面に付ける付属部材を使ってパイプ４８等に固定することにより、安定して固定することができる。
【００３４】
第２定着フレーム５の固定支持片２１は、第１固定点３１により、第１定着フレーム３の第１底部１１に固定されている。第２定着フレーム５の開放支持片１９は、第１定着フレーム３には固定されていない。固定支持片２１は、露回収フレーム７の側にある。開放支持片１９は、露回収フレーム７とは反対側にある。すなわち、開放支持片１９は、外側にある。
【００３５】
露回収フレーム７の固定保水片２５は、第２固定点３３により、第１定着フレーム３の第１底部１１に固定されている。露回収フレーム７の開放保水片２７は、第１定着フレーム３には固定されていない。固定保水片２５は、第２定着フレーム５の側にある。開放保水片２７は、第２定着フレーム５とは反対側にある。すなわち、開放保水片２７は、外側にある。
【００３６】
第２定着フレーム５の第２底部１７と露回収フレーム７の第３底部２３は、同じ幅であり、外面が同じ形状である。
【００３７】
第２定着フレーム５の開放支持片１９及び固定支持片２１は、第２底部１７から外側に起立する。そして、内側に延びる。開放支持片１９は、さらに斜め上方に延びる。固定支持片２１は、垂直上方に延び、第１固定点３１で第１定着フレーム３の第１底部１１に固定する。
【００３８】
露回収フレーム７の固定保水片２５及び開放保水片２７は、第３底部２３から外側に起立する。そして、内側に延びる。固定保水片２５は、垂直上方に延び、第２固定点３３で第１定着フレーム３の第１底部１１に固定する。本実施例では、開放保水片２７は、最も短い状態にしている。なお、開放保水片２７の開放端は、第１シート４１に結露する水滴が第１シート４１上を移動できるのであれば、どの位置でもよい。ただし、露回収フレーム７の外面に付属部材を取り付けるためには、一定の可動領域を確保することが望ましい。そのため、開放保水片２７の開放端の第３底部２３に対する高さは、第２定着フレーム５の開放支持片１９の開放端の第２底部１７に対する高さと同じであるか、それよりも低いことが望ましい。また、より多くの水を貯めるためには、開放保水片２７の開放端は、図１の高さＨよりも高い位置にあることが望ましい。
【００３９】
第２定着フレーム５の開放支持片１９及び固定支持片２１並びに露回収フレーム７の固定保水片２５及び開放保水片２７は、外側に起立する部分の外面は同じである。内側に延びる部分の一部（開放支持片１９のうち、さらに斜め上方に延びる部分を除いた部分、固定支持片２１のうち、垂直上方に延びる部分を除いた部分、固定保水片２５のうち、垂直上方に延びる部分を除いた部分、開放支持片２７のうち、先端加工された部分を除いた部分）は、同じである。なお、形状が異なる部分は、他の形状であってもよい。例えば、固定支持片２１や固定保水片２５では、垂直上方に延びる必要はなく、斜めであってもよい。
【００４０】
よって、第２定着フレーム５と露回収フレーム７とは、底部及び外側に起立してから内側に延びる部分の一部（図１の高さＨの部分）は、同じ形状である。そのため、図２にあるように、第２定着フレーム５の外面に付けることができる付属部材５１は、露回収フレーム７の外面にも付けることができる。シート定着装置１は、複数のフレームの外面に、同じ付属部材を付けることができるものである。図２（ａ）〜（ｃ）は、第２定着フレーム５に付属部材５１を取り付ける手順を示す。図２（ａ）にあるように、付属部材５１を第２定着フレーム５と露回収フレーム７の間に入れる。図２（ｂ）にあるように、固定支持片２１に掛ける。そして、図２（ｃ）にあるように、付属部材５１を開放支持片１９に掛けることにより、第２定着フレーム５の外面に、付属部材５１を取り付けることができる。図２（ｄ）〜（ｆ）は、露回収フレーム７に付属部材５１を取り付ける手順を示す。図２（ｄ）にあるように、付属部材５１を第２定着フレーム５と露回収フレーム７の間に入れる。図２（ｅ）にあるように、固定保水片２５に掛ける。そして、図２（ｆ）にあるように、付属部材５１を開放保水片２７に掛けることにより、露回収フレーム７の外面に、付属部材５１を取り付けることができる。
【００４１】
また、第１固定点３１は、第２定着フレーム５に係止線条４７を挿入するスペースを確保するため、第２支持片１５に近い方が望ましい。図１（ａ）では、第１固定点３１は、第１底部１１の端点に設けている。なお、第１固定点３１について、第２支持片１５及び第１底部１１の両方にわたって帯状に固定されていてもよく、第２支持片１５に固定されていてもよい。
【００４２】
他方、露回収フレーム７は、開放保水片２７が固定されていなければ、第１シートに結露した水滴は、第１支持片１３、第１底部１１及び固定保水片２５を通って回収することができる。そのため、第２固定点３３は、第１固定点３１よりも第１支持片１３に近いところで自由に選択することができる。すなわち、第２固定点３３は、第１固定点３１よりも、第１底部１１の中心点３５（第１底部１１の幅の中央）に近くすることができる。開放保水片２７の開放端は、第１シートに結露した水滴が移動可能な位置で、かつ、図２（ｄ）〜（ｆ）にあるように、付属部材５１を取り付けることのできる位置にある。
【００４３】
第１固定点３１は、第２定着フレーム５に係止線条４７を係合させるために適切な位置とし、第２固定点３３の位置によって、第２定着フレーム５と露回収フレーム７の距離を調整すればよい。図１（ａ）では、図２にあるように、金具が取り付けることができる距離としている。
【００４４】
図３は、第１定着フレーム３及び第２定着フレーム５に、それぞれ、第１シート４１及び第２シート４５を、係止線条４３及び４７を用いて定着させた状態を示す。（ａ）は、シート定着装置１の長手方向の断面図である。（ｂ）は、斜視図である。（ｃ）は、実際に定着させたときのイメージである。
【００４５】
図４は、図１のシート定着装置１に付属部材を付けた状態の一例を示す図である。図１のシート定着装置１では、第２定着フレーム５及び露回収フレーム７の双方の外面に、付属部材を付け、パイプ等に固定して、安定化させることができる。ただし、第２定着フレーム５と露回収フレーム７の距離は、長手方向の同じ位置には、片方のみに付けることができる間隔である。そのため、例えば、図４において、第２定着フレーム５の位置４９1及び４９3に付属部材を取り付け、その間で、露回収フレーム７の位置４９2に付属部材を取り付けるように、第２定着フレーム５と露回収フレーム７の外面に付属部材を取り付ける位置を交互にすれば、安定し、強度が増す。
【符号の説明】
【００４６】
１  シート定着装置、３  第１定着フレーム、５  第２定着フレーム、７  露回収フレーム、１１  第１底部、１３  第１支持片、１５  第２支持片、１７  第２底部、１９  開放支持片、２１  第２底部、２３  第３底部、２５  固定保水片、２７  開放支持片、３１  第１固定点、３３  第２固定点、３５  中央点
【図１】
2017175972.tif 000003
【図２】
2017175972.tif 000004
【図３】
2017175972.tif 000005
【図４】
2017175972.tif 000006
【図５】
2017175972.tif 000007
【図６】
2017175972.tif 000008
【図７】
2017175972.tif 000009